(57)【要約】義歯床４に設けた磁石構造体５と、磁石構造体５が着脱自在に装着される磁性材料からなるキーパー１１と、からなる歯科用磁性アタッチメント２において、磁石構造体５とキーパー１１とをボールジョイント構造により接続した。希土類磁石で構成した磁石構造体５本体の外面全域に、磁性ステンレス鋼の薄膜、金メッキ、銀メッキ等の金属膜を被着した。キーパー１１を、磁性ステンレス鋼からなる全球体または半球体の形状を有する頭部８と、歯根部９位置に進入する固定支持部１０で構成し、磁石構造体５側に、キーパー１１の頭部８に嵌着する球面凹部５ｂを形成した。
2008069086.tif 000002
【特許請求の範囲】
【請求項１】
義歯床に設けた磁石構造体と、前記磁石構造体が装着される磁性材料からなるキーパーと、からなる歯科用磁性アタッチメントにおいて、
前記磁石構造体と前記キーパーとをボールジョイント構造により接続したことを特徴とする歯科用磁性アタッチメント。
【請求項２】
前記ボールジョイント構造は、
前記磁石構造体と前記キーパーのいずれか一方に形成された、全球体または半球体の形状もしくは半球体から全球体の間のいずれの形状である球面凸部と、
前記磁石構造体と前記キーパーのいずれか他方に形成された、前記球面凸部に面接触する球面凹部と、から構成されている、請求項１に記載の磁性アタッチメント。
【請求項３】
前記球面凸部の直径は、１ｍｍから８ｍｍである、請求項１，２いずれかに記載の磁性アタッチメント。
【請求項４】
前記球面凸部の直径は、３ｍｍから５ｍｍである、請求項３に記載の磁性アタッチメント。
【請求項５】
前記キーパーは、全球体または半球体の形状もしくは半球体から全球体の間のいずれの形状の球面凸部からなる頭部と、歯根位置へ取り付けるための固定支持部と、からなり、
前記磁石構造体は、前記球面凸部に面接触する球面凹部を有している、請求項１乃至４いずれかに記載の磁性アタッチメント。 
【請求項６】
前記磁石構造体は、全球体または半球体の形状もしくは半球体から全球体の間のいずれの形状の球面凸部を有しており、
前記キーパーは、前記球面凸部に面接触する球面凹部を備えた頭部と、歯根位置へ取り付けるための固定支持部と、からなる、請求項１乃至４いずれかに記載の磁性アタッチメント。
【請求項７】
前記キーパーは、全球体または半球体の形状もしくは半球体から全球体の間のいずれの形状の球面凸部からなる頭部と、義歯の装着位置に隣接する歯冠補綴物の金属部位から水平方向に延出した固定支持部と、を備え、
前記磁石構造体は、前記頭部の球面に面接触する球面凹部を有している、請求項１乃至４いずれかに記載の磁性アタッチメント。
【請求項８】
前記磁石構造体は、全球体または半球体の形状もしくは半球体から全球体の間のいずれの形状の球面凸部を有しており、
前記キーパーは、前記球面凸部に面接触球面凹部を備えた頭部と、義歯の装着位置に隣接する歯冠補綴物の金属部位から水平方向に延出した固定支持部と、を備えている、請求項１乃至４いずれかに記載の磁性アタッチメント。
【請求項９】
義歯の口内への装着時において、前記球面凸部の周辺面域と前記球面凹部の周辺面域との対向間には、前記キーパーに対する前記磁石構造体の揺動を許容する所要の間隙が形成されている、請求項２乃至８いずれかに記載の磁性アタッチメント。
【請求項１０】
前記磁石構造体は、希土類磁石で構成した構造体本体と、前記構造体本体の外面全域に設けた金属膜とからなる、請求項１乃至９いずれかに記載の磁性アタッチメント。
【請求項１１】
前記金属膜は、磁性ステンレス鋼、金、銀、チタン、モリブデンから選択される一つあるいは複数の組み合わせからなる金属膜である、請求項１０に記載の磁性アタッチメント。
【請求項１２】
前記キーパーの少なくとも磁石構造体と接続される部位は磁性ステンレス鋼から形成されている、請求項１乃至１１いずれかに記載の磁性アタッチメント。
【発明の詳細な説明】
【技術分野】
【０００１】
本発明は、磁着力を利用して義歯をキーパーに着脱自在に固定する磁性アタッチメントに係り、詳しくは咬合時における義歯の装着ずれを一掃し、快適な義歯の装着状態を保持することができる磁性アタッチメントに関するものである。
【背景技術】
【０００２】
従来、歯科治療においては、義歯の着脱が容易で、かつ装着時の固定状態が強固であるという利点から、磁着力を利用する磁性アタッチメントが提案されている。この磁性アタッチメントの基本構成としては、図１３および図１４に示すように、歯部ａを植設した義歯床ｂの磁石構造体ｃ、ｃ…を、歯槽骨ｄ側の歯根あるいは人工歯根ｅにそれぞれ固定したキーパーｆ、ｆ…に磁着させて義歯ｇを装着固定するように構成されている。【０００３】
しかしながら、上述のような従来の磁性アタッチメントでは、磁石構造体ｃ、ｃ…の吸着面ｃ１とキーパーｆ、ｆ…の被吸着面ｆ１が、それぞれ平面状に形成されているため、義歯の形成過程においては、患者毎に異なる施術位置の歯根の大小、強度および傾斜状態に応じて、上記吸着面ｃ１と被吸着面ｆ１との精度の高い面着状態を保持したまま、対応する磁石構造体ｃとキーパーｆを埋設しなければならない、という高度な施術を必要とする。また、例え義歯の施術自体が最良の状態で完了したとしても、義歯の実際の使用に当たっては、噛み合わせに伴う左右方向Ｘ、上下方向Ｙおよび前後方向Ｚの咬合圧が複雑に組み合わされた義歯の動きに対し、キーパーｆと磁石構造体ｃとの対向面ｃ１、ｆ１間に「すべり」に起因する隙間が生じて咬合動作が行われる度に磁着力の著しい変化を来してしまい、安定した義歯ｇの固定状態を保持することができなくなる。更には、長期に亘って義歯ｇを使用した場合に、キーパーｆと磁石構造体ｃとの擦過、衝接に起因する相互の摩耗により、義歯ｇの寿命や交換、調整時期を早めてしまうという欠点を有するものであった。【０００４】
そこで、噛み合せ時に磁石構造体とキーパーとの間に隙間を生ずることがなく、義歯が適度に揺動、回動できる磁性アタッチメントが提案されている（特許文献１）。上記提案のものでは、磁石構造体の吸着面と、キーパーの被吸着面をそれぞれ型対称な球面状に形成することにより、義歯の揺動、回動が適度に行えるようにはなるものの、前述したような方向の異なる複雑な組み合わせの咬合圧に対して、義歯の動きに磁性アタッチメントを円滑に対応させるには至らず、依然として安定した義歯の装着状態を保持することができないものであった。【０００５】
特許文献２には、特許文献１に類似の義歯アタッチメントが開示されている。しかしながら、吸着面及び被吸着面が共に極めて緩やかな湾曲面から形成されており、特許文献１と同様の欠点を有する。【０００６】
特許文献３には、段落番号００３８、図８にボールヘッドが記載されているが、ボールヘッドは、多角形の頭部（図７）等と同様に、スリーブ内に装着されるものであり、スリーブによって義歯の揺動、回動は規制される。【０００７】
特許文献４に開示された固定釘の頭部は、円筒状の磁石あるいは円筒状の弾性体に保持されるものであり、特許文献３と同様に、義歯の揺動、回動は規制される。【０００８】
特許文献５は、切断球を用いるものであり、切断球の平坦部分及びキーパーの平坦面によって、義歯の揺動、回動は規制される。【０００９】
特許文献６は、歯科磁性部材用ホルダーの構成を開示するものであり、磁性アタッチメント全体の構成については一切記載されていない。
【特許文献１】特開２００２−２８２２８１号公報
【特許文献２】特開２００４−１６５５７号公報
【特許文献３】特開平７−２３９８３号公報
【特許文献４】実用新案登録第３０５４０５８号公報
【特許文献５】特公平３−１９７８２号公報（特表昭６２−５０３１５２）
【特許文献６】特開平１１−２４４３０８号公報
【発明の開示】
【発明が解決しようとする課題】
【００１０】
本発明は、ボールジョイント構造を磁性アタッチメントとして利用するという全く新規な視点に立ち、義歯装着時の固定状態と咬合圧に対する柔軟な姿勢変化とを両立させた磁性アタッチメントを提供しようとするものである。
【課題を解決するための手段】
【００１１】
本発明は、義歯床に設けた磁石構造体と、前記磁石構造体が装着される磁性材料からなるキーパーと、からなる歯科用磁性アタッチメントにおいて、前記磁石構造体と前記キーパーとをボールジョイント構造により接続したことを特徴とする歯科用磁性アタッチメント、である。【００１２】
一つの態様では、前記ボールジョイント構造は、前記磁石構造体と前記キーパーのいずれか一方に形成された、全球体または半球体の形状もしくは半球体から全球体の間のいずれの形状である球面凸部と、前記磁石構造体と前記キーパーのいずれか他方に形成された、前記球面凸部に面接触する球面凹部と、から構成されている。【００１３】
一つの態様では、前記球面凸部の直径は、１ｍｍから８ｍｍである。一つの好ましい態様例では、前記球面凸部の直径は、３ｍｍから５ｍｍである。ボールジョイント構造によってキーパーに対する磁石構造体の自由な回転を可能とするものであれば、球面凸部の寸法は小さくても良いが、磁気による十分な吸着力を確保するためには、球面凸部と球面凹部の接触面積が大きい方がよい。球面凸部の直径の大きさは、義歯の大きさによって制限されることは言うまでもない。また、球面凹部の寸法は対応する球面凸部の寸法に略等しいことは容易に理解される。【００１４】
一つの態様では、前記キーパーは、全球体または半球体の形状もしくは半球体から全球体の間のいずれの形状の球面凸部からなる頭部と、歯根位置へ取り付けるための固定支持部と、からなり、前記磁石構造体は、前記球面凸部に面接触する球面凹部を有している。【００１５】
一つの態様では、前記磁石構造体は、全球体または半球体の形状もしくは半球体から全球体の間のいずれの形状の球面凸部を有しており、前記キーパーは、前記球面凸部に面接触する球面凹部を備えた頭部と、歯根位置へ取り付けるための固定支持部と、からなる。キーパー側に球面凹部を形成することで、義歯をキーパーに装着した時に義歯の重心が低くなり、義歯の装着が安定する。【００１６】
一つの態様では、前記キーパーは、全球体または半球体の形状もしくは半球体から全球体の間のいずれの形状の球面凸部からなる頭部と、義歯の装着位置に隣接する歯冠補綴物の金属部位から水平方向に延出した固定支持部と、を備え、前記磁石構造体は、前記頭部の球面に面接触する球面凹部を有している。【００１７】
一つの態様では、前記磁石構造体は、全球体または半球体の形状もしくは半球体から全球体の間のいずれの形状の球面凸部を有しており、前記キーパーは、前記球面凸部に面接触球面凹部を備えた頭部と、義歯の装着位置に隣接する歯冠補綴物の金属部位から水平方向に延出した固定支持部と、を備えている。【００１８】
一つの態様では、義歯の口内への装着時において、前記球面凸部の周辺面域と前記球面凹部の周辺面域との対向間には、前記キーパーに対する前記磁石構造体の揺動を許容する所要の間隙が形成されている。こうすることで、噛み合わせ時における義歯のローリングを可能とする。【００１９】
一つの態様では、前記磁石構造体は、希土類磁石で構成した構造体本体と、前記構造体本体の外面全域に設けた金属膜とからなる。一つの態様例では、前記金属膜は、磁性ステンレス鋼、金、銀、チタン、モリブデンから選択される一つあるいは複数の組み合わせからなる金属膜である。【００２０】
一つの態様では、前記キーパーの少なくとも磁石構造体と接続される部位は磁性ステンレス鋼から形成されている。一つの例では、キーパー全体が磁性ステンレス鋼から形成される。
【発明の効果】
【００２１】
本発明によれば、磁石構造体とキーパーがボールジョイント構造をなして義歯を固定するので、噛み合わせに伴って複雑に組み合わされた咬合圧が義歯を介してキーパーに作用しても、義歯装着位置のずれを生じることがなく、また適度に磁石構造体がキーパーの頭部を中心として揺動し、確実な固定状態を保持しながら義歯によるスムーズな噛み合わせを安定して行うことができる。歯根方向が施術部位によって異なる場合でも、ボールジョイント構造をなす磁石構造体とキーパーが、常に最適な位置姿勢をもって結合されるので、従来のようにそれぞれの施術部位の歯根方向毎に、磁石構造体とキーパーの磁着面同士の平行を、いちいち精密に出さなければならないような煩わしい調製作業を一掃することができる。しかも平面部同士が磁着する従来に比して、球体と球面凹部が磁着する構成なので、より多くの磁着面積を確保することができ、限られた施術部位における強固な固定状態を確保することができる。
【発明を実施するための最良の形態】
【００２２】
本発明は、義歯側に埋設した磁石構造体と歯槽骨側に埋設したキーパーとを、着離自在なボールジョイント構造により結合するものである。【００２３】
本発明の構成を、図面に示した第１の実施の形態に基づいて詳細に説明する。図１において、１は本発明の磁性アタッチメント２を採用した義歯であり、総義歯１は歯部３を義歯床４に一体形成して構成されている。義歯床４の内方位置には、複数の磁石構造体５が埋設されている。歯肉６を形成した歯槽骨７内には、キーパー１１が、各磁石構造体５、５…に対応する部位にそれぞれ埋設されている。キーパー１１は、球体頭部８と歯根部９位置に進入する固定支持部１０で構成されている。磁石構造体５とキーパー１１とが協働して磁性アタッチメント２として機能する。【００２４】
キーパー１１の球体頭部８は、図２（ａ）に示すように、磁性ステンレス鋼（ＳＵＳ３０６、ＳＵＳ３１６等）からなる全球体の形状を有しており、先細状のネジを螺設した固定支持部１０と一体形成されている。球体頭部８の頂部には六角状の溝部８ａが刻設されており、この溝部８ａを介した六角レンチによる螺入、螺退操作で、キーパー１１の取り付け、取り外しを行うようになっている。ここで、球体頭部８は上述の形状に限定されるものではなく、同図（ｂ）に示すように、スカート部８ｂを一体に延設した半球体形状の球体頭部８´としても良く、また同図（ｃ）、（ｄ）に示すように、球体頭部８、８´と、ネジを螺設した固定支持部１０´をそれぞれ別体に構成し、球体頭部８、８´に穿設した台座付の挿通孔１２に固定支持部１０´を通して歯根部９に固定するようにキーパー１１を構成しても良い。【００２５】
磁石構造体５は、図３（ａ）、（ｂ）に示すように、希土類磁石（実施例ではＮｄ−Ｆｅ−Ｂ系：ネオジム・鉄・ボロン磁石を使用）からなる構造体本体５ａを備えている。構造体本体５ａは、剪頭円錐形状を有しており、かつ、底面の中心位置には、キーパー１１の球体頭部８を嵌着する球面凹部５ｂが形成されている。構造体本体５ａの外面全域には、磁性ステンレス鋼の薄膜１３が被着されている。なお、磁石構造体は、同図（ｃ）、（ｄ）に示すように、円柱状に形成した構造体本体５ａ´の底面の中心位置に、球面凹部５ｂを形成し、かつ被着した薄膜１３の基面５ｃ側に位置する部位を外方に延出して鍔部１３ａを形成するように磁石構造体５´を構成すれば、義歯床４内に磁石構造体５´を埋設した際の抜け止めとすることができる。また、上述の磁性ステンレス鋼の薄膜１３に代えて、金・銀等の金属メッキを構造体本体５ａの外面全域に被着しても良い。【００２６】
また、上述のように構成された磁石構造体５は、総義歯１の形成過程において、その内方位置の所定部位に複数埋設されることになるが、磁石構造体５は、上方に向かって拡径する剪頭円錐形状に形成されているので、総義歯１の繰り返しによる着脱で磁石構造体５が義歯床４から抜け出すようなことはない。なお、図３（ｃ）、（ｄ）では、構造体本体５ａ´の基面５ｃ側に被着した薄膜１３を外方に延出して鍔部１３ａを形成する構成を示したが、これに限定されるものではなく、磁石構造体５の外周面に凹凸を設けたり、複数の突起を一体形成するなどの処置を施すことにより抜け止めを行うように構成してもよい。【００２７】
次に、総義歯１の装着について説明する。 図４において、総義歯１は、その装着に先立ち、歯槽骨７側の歯根部９に、複数のキーパー１１を各施術部位（実施例では、歯列アーチにおける左右の犬歯位置および第一臼歯位置の４箇所）に予め埋設し、かつ各キーパー１１、１１…に対応する磁石構造体５、５…を義歯床４の内方位置に埋設して磁性アタッチメント２を備えた総義歯１が形成される。その形成過程においては、歯形や歯槽骨の型取り、できあがった義歯の咬合調整あるいは歯並び、噛み合わせの検証等を経て総義歯１が構成される点については、従来の歯科技工工程と何ら変わりはない。【００２８】
そして、上述のように完成した総義歯１を装着した場合には、図５（ａ）に示すように、各磁石構造体５の球面凹部５ｂがキーパー１１の球体頭部８にそれぞれ嵌着し、当該磁石構造体５の球体頭部８に対する磁着力を介して総義歯１が強固に各キーパー１１に固定されることになる。【００２９】
このような総義歯１の装着状態においては、同図（ｂ）に示すように、キーパー１１の球体頭部８の外周面域Ｓ１と、磁石構造体５の球面凹部５ｂの周辺面域Ｓ２との間に間隙ｔが形成され、球体頭部８を中心とする磁石構造体５の揺動を許す装着状態となっている。したがって同図（ｃ）（ｄ）に示すように、噛み合わせに伴って複雑に組み合わされた咬合圧Ｐが総義歯１を介してキーパー１１に作用しても、総義歯１の装着位置のずれを生じることがなく、磁石構造体５がキーパー１１の球体頭部８を中心として揺動することにより、確実な総義歯１の固定状態を保持しながらスムーズな噛み合わせを安定して行うことができる。【００３０】
ここで、本発明の磁性アタッチメント２の利点は、図６（ａ）、（ｂ）に示すように、歯根部９ａ、９ｂの位置姿勢が異なるような施術部位に対して特に発揮されることになる。すなわち、Ａ−Ａ線位置における歯根部９ａ、９ｂ（実施例では左右の第二臼歯位置）において、ほぼ直立する歯根部９ａと傾斜を有する歯根部９ｂであっても、それぞれに埋設されたキーパー１１の球体頭部８は、総義歯１側の磁石構造体５に対して咬合圧を均一に受け止めることができる。同図（ｃ）に示す従来の磁性アタッチメントでは、歯根部の傾斜姿勢に応じて斜設されたキーパーｆの被吸着面ｆ１と、これに磁着する磁石構造体ｃの吸着面ｃ１との面着状態を、精度の高い調整を行いながら義歯を形成する必要があるうえ、完成した義歯の使用に当たっては、噛み合わせに伴う咬合圧が複雑に組み合わされた義歯の動きに対し、キーパーｆと磁石構造体ｃとの対向面ｃ１、ｆ１間に「すべり」が生じてしまうが、本発明では磁石構造体５とキーパー１１とのボールジョイント構造により確実に総義歯１を固定することができるので、上述のような「すべり」が生ずることは全くなく、また磁石構造体５とキーパー１１の位置調整も球体頭部８に対する球面凹部５ｂの嵌着位置を合わせるのみで、磁石構造体５側における位置姿勢の精密な調整作業は不要となる。【００３１】
図７（ａ）〜（ｇ）はキーパーの他の構成を示すものであって、この例では、六角状の溝部１４ａと螺子部１４ｂを一体形成した全球体または半球体の形状を有する頭部１５を、台座部１６を一体形成した剪頭円錐形状をなす固定支持部１７の雌ねじ部１７ａに螺合させてキーパー１８が構成されており、歯根部９に打ち込んだ当該キーパー１８に磁石構造体５を介して総義歯１を装着するようになっている。この例では、キーパー１８を歯根部９に装着した状態で頭部１５のみの交換が容易に行えるようになる。【００３２】
図８は、本発明における第２の実施の形態を示すものであって、総義歯１を形成する義歯床４には、六角状の溝部１９ａと螺子部１９ｂを一体形成した全球体または半球体の形状を有する磁石構造体１９が設けられ、球面凸部が形成されている。磁石構造体１９を嵌着する球面凹部２０を形成した磁性ステンレス鋼からなる頭部２１と、歯槽骨７内の歯根部９に進入する固定支持部２２でキーパー２３が形成されている。磁石構造体１９とキーパー２３とが協働して磁性アタッチメントとして機能する。【００３３】
磁石構造体１９は、磁石構造体５と同様に、希土類磁石（実施例ではＮｄ−Ｆｅ−Ｂ系：ネオジム・鉄・ボロン磁石を使用）からなり、その外面全域には、磁性ステンレス鋼の薄膜や金・銀等の金属メッキが被着されている。磁石構造体１９は、六角状の溝部１９ａを介した六角レンチによる螺入、螺退操作で、義歯床４に着脱自在に取り付ける構成となっている。【００３４】
そして、総義歯１を装着した場合には、図９（ａ）、（ｂ）に示すように、各磁石構造体１９がキーパー２３の球面凹部２０にそれぞれ嵌着し、磁石構造体１９に対する磁着力を介して総義歯１が強固に各キーパー２３に固定される。このような総義歯１の装着状態において、キーパー２３を形成する球面凹部２０の外周面域Ｓ１と、磁石構造体１９の周辺面域Ｓ２との間には間隙ｔが形成されることになり、キーパー２３の頭部２１に形成した球面凹部２０を中心とする磁石構造体１９の揺動を許す装着状態となる。よって、同図（ｃ）（ｄ）に示すように、噛み合わせに伴って複雑に組み合わされた咬合圧Ｐが総義歯１を介してキーパー２３に作用しても、総義歯１の装着位置のずれを生じることがなく、磁石構造体１９がキーパー２３の頭部２１を中心として揺動することにより、確実な総義歯１の固定状態を保持しながらスムーズな噛み合わせを安定して行うことができる。  【００３５】
図１０および図１１は、本発明における第３の実施の形態を示すものであって、この例では部分義歯２４を本発明の磁性アタッチメントを利用して装着する場合の構成を示す。特に、歯根部の崩落や強度に不足がある場合や欠損歯における義歯の装着において、従来における部分義歯、ブリッジ等に代わり、当該歯根部を利用せずに部分義歯を隣接する歯冠補綴物を利用して着脱自在に装着する部分義歯を提案するものである。部分義歯２４は、これを装着するキーパー２５、２５を、磁性ステンレス鋼からなる全球体または半球体の形状を有する頭部２６と、部分義歯２４の装着位置に隣接する歯冠補綴物（ほてつぶつ）２７、２８の金属部位２７ａ、２８ａからそれぞれ水平方向に延出した金属製の固定支持部２９、２９で構成する。部分義歯２４の義歯床３０には、前記実施の形態と同様に、キーパー２５の頭部２６に嵌着する球面凹部３１を形成した磁石構造体３２が埋設されており、キーパー２５と磁石構造体３２とが協働して磁性アタッチメント３３として機能するようになっている。【００３６】
キーパー２５の固定支持部２９を一体に延出する歯冠補綴物２７は、図１１（ａ）〜（ｄ）に示すように、陶材焼付鋳造冠の構造を呈しており、図示しない支台歯を覆う金属部位２７ａの外面には、オペーク陶材、ボディ陶材およびエナメル陶材を重層状に成形した歯科用ポーセレン２７ｂが焼付被着されている。固定支持部２９の先端側には、前記実施例の図７で示した頭部１５と同構造の頭部２６を着脱自在に螺設してキーパー２５を構成している。なお、歯冠補綴物２８についても、外観形状は歯冠補綴物２７と相違するものの、同一の内部構造を有して構成されている。【００３７】
部分義歯２４の義歯床３０に埋設される磁石構造体３２は、磁性ステンレス鋼の薄膜、あるいは、金・銀等の金属メッキを外面全域に被着してなり、その底面の中心位置には、キーパー２５の頭部２６を嵌着する球面凹部３１が一体に形成されている。【００３８】
したがって、上述のように構成された部分義歯２４を口内に装着する場合は、各歯冠補綴物２７、２８から延出した固定支持部２９の頭部２６、２６に、部分義歯２４側の磁石構造体３２、３２をそれぞれ嵌着すれば、当該義歯２４は歯冠補綴物２７、２８間に強固に固定されることになる。部分義歯２４の装着完了時には、前記各実施の形態と同様に、噛み合わせに伴って複雑に組み合わされた咬合圧が部分義歯２４を介してキーパー２５、２５に作用しても、部分義歯２４の装着位置のずれを生じることがない。また磁石構造体３２、３２が固定支持部２９の頭部２６、２６を中心として揺動することにより、確実な部分義歯２４の固定状態を保持しながらスムーズな噛み合わせを安定して行うことができる。加えて、従来の部分義歯で必須の「バネ」が不要になるため、審美性に優れた外観を得ることができ、ブリッジに比しても、より安定した装着状態とメンテナンス性を確保することが可能となる。【００３９】
図１２は、部分義歯２４を形成する義歯床３０に、全球体または半球体の形状を有する磁石構造体３４を螺子を用いて装着し、かつ、当該磁石構造体３４を嵌着する球面凹部３５を先端側に形成した固定支持部３６でキーパー２５が形成されており、磁石構造体３４とキーパー２５とが協働して磁性アタッチメント３３として機能するようになっている。【００４０】
磁石構造体３４は、前記実施の形態と同様に、希土類磁石（Ｎｄ−Ｆｅ−Ｂ系：ネオジム・鉄・ボロン磁石）で形成されており、その外面全域には磁性ステンレス鋼の薄膜、あるいは、金・銀等の金属メッキが被着されている。磁石構造体３４を介して部分義歯２４をキーパー２５の球面凹部３５に嵌着すると、磁石構造体３４に対する磁着力により部分義歯２４は強固にキーパー２５に固定されることになる。【００４１】
このような部分義歯２４の装着状態においては、キーパー２５を形成する球面凹部３５の外周面域Ｓ１と、磁石構造体３４の周辺面域Ｓ２との間に間隙ｔが形成され、キーパー２５の固定支持部３６に形成した球面凹部３５を中心とする磁石構造体３４の揺動を許す装着状態となり、噛み合わせに伴って複雑に組み合わされた咬合圧が部分義歯２４を介してキーパー２５に作用しても、部分義歯２４の装着位置のずれを生じることがなく、磁石構造体３４が固定支持部３６の球面凹部３５を中心として揺動することにより、確実な部分義歯２４の固定状態を保持しながらスムーズな噛み合わせを安定して行うことが可能となる。【００４２】
なお、本発明は、前述の各実施の形態に示した構成例に限定されるものではなく、患者それぞれで異なる歯列、治療歯の本数、位置等を考慮して、上記各構成を組み合わせた最適の歯科治療を、本発明の磁性アタッチメントを利用して実現できることは詳述するまでもない。
【図面の簡単な説明】
【００４３】
【図１】（ａ）は本発明の磁性アタッチメントを採用した義歯および歯槽骨の断面図、（ｂ）は義歯の断面図、（ｃ）は歯槽骨の断面図である。
【図２】（ａ）〜（ｄ）はそれぞれキーパーの説明図である。
【図３】（ａ）は磁石構造体の平面図、（ｂ）は同断面図、（ｃ）は他の磁石構造体の平面図、（ｄ）は同断面図である。
【図４】（ａ）および（ｂ）は義歯の装着状態を示す斜視図である。
【図５】（ａ）〜（ｄ）は装着された義歯の状態を示す説明図である。
【図６】（ａ）は義歯の全体平面図、（ｂ）はＡ−Ａ線断面図、（ｃ）は従来構成における断面図である。
【図７】（ａ）〜（ｃ）はキーパーの頭部の各形状を示す側面図、（ｄ）、（ｅ）はキーパー頭部の装着を示す説明図、（ｆ）、（ｇ）は他のキーパー頭部の装着状態を示す説明図である。
【図８】（ａ）、（ｂ）は磁石構造体およびキーパーの装着状態を示す断面図、（ｃ）、（ｄ）は他の磁石構造体およびキーパーの装着状態を示す断面図である。
【図９】（ａ）〜（ｄ）は装着された義歯の状態を示す説明図である。
【図１０】（ａ）、（ｂ）は、本発明の磁性アタッチメントを部分義歯に適用した場合を示す説明図である。
【図１１】（ａ）はキーパーの拡大側面図、（ｂ）は同上一部省略拡大正面図、（ｃ）および（ｄ）は本発明の磁性アタッチメントを適用した部分義歯の取り付けを示す説明図である。
【図１２】（ａ）は他の構成の部分義歯の装着状態を示す拡大側面図、（ｂ）は同上一部省略拡大正面図、（ｃ）および（ｄ）は本発明の磁性アタッチメントを適用した部分義歯の取り付けを示す説明図である。
【図１３】（ａ）および（ｂ）は従来の磁性アタッチメントを採用した義歯の装着状態を示す作用説明図である。
【図１４】（ａ）〜（ｅ）は従来の磁性アタッチメントを採用した義歯の装着状態を示す説明図である。
【符号の説明】
【００４４】
１      義歯 
２      磁性アタッチメント 
３      歯部
４      義歯床 
５      磁石構造体 
５ａ    構造体本体 
７      歯槽骨
８      頭部 
９      歯根部 
１０    固定支持部 
１１    キーパー 
５ｂ    球面凹部 
Ｓ２    外周面域 
Ｓ２    周辺面域 
ｔ      間隙 
【図１】
2008069086.tif 000003
【図２】
2008069086.tif 000004
【図３】
2008069086.tif 000005
【図４】
2008069086.tif 000006
【図５】
2008069086.tif 000007
【図６】
2008069086.tif 000008
【図７】
2008069086.tif 000009
【図８】
2008069086.tif 000010
【図９】
2008069086.tif 000011
【図１０】
2008069086.tif 000012
【図１１】
2008069086.tif 000013
【図１２】
2008069086.tif 000014
【図１３】
2008069086.tif 000015
【図１４】
2008069086.tif 000016
【国際調査報告】
2008069086.tif 000017
2008069086.tif 000018
2008069086.tif 000019
2008069086.tif 000020
2008069086.tif 000021
2008069086.tif 000022